(57)【要約】      （修正有）【課題】仮設トイレが使用中であることを使用中表示ランプの点灯によって積極的かつ明示的に表示し、その表示の視認性を向上できる仮設トイレを提供する。【解決手段】仮設トイレ１００において、ロックレバーがロック解除位置に設定されたときには消灯し、ロックレバーがロック位置に設定されたときには点灯し、その点灯状態をハウジング２０の外部に向けて表示する使用中表示ランプ４０を有してなる。【選択図】図１
0003197976.tif 000002
【実用新案登録請求の範囲】
【請求項１】
人が入出できる出入口を備えたハウジングと、ハウジングの出入口に開閉可能に設けられる扉と、扉を出入口に対する閉鎖位置に保持するロックレバーとを有し、
ロックレバーは、扉を閉鎖位置に保持するロック位置と、扉を開閉自在にするロック解除位置のいずれかに切換設定可能にされてなる仮設トイレにおいて、
ロックレバーがロック解除位置に設定されたときには消灯し、ロックレバーがロック位置に設定されたときには点灯し、その点灯状態をハウジングの外部に向けて表示する使用中表示ランプを有してなることを特徴とする仮設トイレ。
【請求項２】
前記ロックレバーが扉に設けられ、前記使用中表示ランプがハウジングの出入口に対する上部に設けられてなる請求項１に記載の仮設トイレ。
【請求項３】
前記ロックレバーが扉に設けられ、前記使用中表示ランプ及びその電源も扉に設けられてなる請求項１に記載の仮設トイレ。
【請求項４】
前記ロックレバーが扉に設けたケースに内蔵され、前記使用中表示ランプ及びその電源も該ケースに内蔵されてなる請求項１に記載の仮設トイレ。
【考案の詳細な説明】
【技術分野】
【０００１】
本考案は仮設トイレに関する。
【背景技術】
【０００２】
工事現場等に設置される、従来の仮設トイレとして、人が入出できる出入口を備えたハウジングと、ハウジングの出入口に開閉可能に設けられる扉と、扉を出入口に対する閉鎖位置に保持するロックレバーとを有してなるものがある。ロックレバーは、扉を閉鎖位置に保持するロック位置と、扉を開閉自在にするロック解除位置のいずれかに切換設定可能にされている。
【０００３】
尚、特許文献１に記載の仮設トイレでは、ハウジング内の天井に、ハウジング内を照明するための室内灯を取付け、ハウジング内への人の入出を検出した人感センサの検知結果によって上記室内灯をオン（点灯）／オフ（消灯）することとしている。
【先行技術文献】
【特許文献】
【０００４】
【特許文献１】特許4243407号公報
【考案の概要】
【考案が解決しようとする課題】
【０００５】
従来の仮設トイレでは、人がハウジングに入って使用中であることをハウジングの外部に向けて表示する手段として、ロックレバーに一体化した赤色着色部からなる使用中表示部と青色着色部からなる不使用中表示部とを、ロックレバーのロック位置又はロック解除位置への切換動作に連動して、選択的にハウジングの外部に臨ませるものを用いている。使用中であれば、ロックレバーはロック位置に設定され、赤色着色部がハウジングの外部に臨んで使用中であることが表示される。不使用中であれば、ロックレバーはロック解除位置に設定されており、青色着色部がハウジングの外部に臨んで不使用中であることが表示される。
【０００６】
しかしながら、ロックレバーに一体化した赤色着色部又は青色着色部がハウジングの外部に臨んで使用中又は不使用中を表示するだけのものにあっては、それらの表示部が視認しずらい。
【０００７】
尚、特許文献１に記載の仮設トイレにおいて、ハウジング内の室内灯が点灯状態にあり、この照明がハウジングの外部に漏れ出ることがあったとしても、これが積極的かつ明示的に使用中表示機能を果たすものではない。
【０００８】
本考案の課題は、仮設トイレが使用中であることを使用中表示ランプの点灯によって積極的かつ明示的に表示し、その表示の視認性を向上することにある。
【課題を解決するための手段】
【０００９】
請求項１に係る考案は、人が入出できる出入口を備えたハウジングと、ハウジングの出入口に開閉可能に設けられる扉と、扉を出入口に対する閉鎖位置に保持するロックレバーとを有し、ロックレバーは、扉を閉鎖位置に保持するロック位置と、扉を開閉自在にするロック解除位置のいずれかに切換設定可能にされてなる仮設トイレにおいて、ロックレバーがロック解除位置に設定されたときには消灯し、ロックレバーがロック位置に設定されたときには点灯し、その点灯状態をハウジングの外部に向けて表示する使用中表示ランプを有してなるようにしたものである。
【００１０】
請求項２に係る考案は、請求項１に係る考案において更に、前記ロックレバーが扉に設けられ、前記使用中表示ランプがハウジングの出入口に対する上部に設けられてなるようにしたものである。
【００１１】
請求項３に係る考案は、請求項１に係る考案において更に、前記ロックレバーが扉に設けられ、前記使用中表示ランプ及びその電源も扉に設けられてなるようにしたものである。
【００１２】
請求項４に係る考案は、請求項１に係る考案において更に、前記ロックレバーが扉に設けたケースに内蔵され、前記使用中表示ランプ及びその電源も該ケースに内蔵されてなるようにしたものである。
【考案の効果】
【００１３】
（請求項１）
(a)仮設トイレに有するものとした使用中表示ランプは、ロックレバーのロック位置又はロック解除位置への切換動作に連動し、ロックレバーがロック解除位置に設定されたときには消灯し、ロックレバーがロック位置に設定されたときには点灯し、その点灯状態をハウジングの外部に向けて表示する。従って、仮設トイレが使用中であることをハウジングの外部に対して積極的かつ明示的に表示し、その表示の視認性を向上できる。使用後の使用中表示ランプの消し忘れも生じない。
【００１４】
（請求項２）
(b)使用中表示ランプがハウジングの出入口に対する上部に設けられる。これにより、日夜を問わず、点灯中の使用中表示ランプが仮設トイレに近づいた人の目に入り易く、その表示の視認性を一層向上できる。
【００１５】
（請求項３）
(c)使用中表示ランプ及びその電源が、ロックレバーも設けられている扉に設けられる。従って、ロックレバーの切換設定位置を検出するスイッチと、使用中表示ランプ及び電源とからなる電気回路を扉の中に納めることができ、電気回路の取り回しを簡素にし、仮設トイレの製造コストを低減できる。
【００１６】
（請求項４）
(d)使用中表示ランプ及びその電源が、ロックレバーも設けられているケースに設けられる。従って、ロックレバーの切換設定位置を検出するスイッチと、使用中表示ランプ及び電源の各部品をケースに納めてユニット化でき、各部品及び電気回路の扉への組込性を向上し、仮設トイレの製造コストを低減できる。
【図面の簡単な説明】
【００１７】
【図１】図１は仮設トイレを示す正面図である。
【図２】図２は図１の施錠ケースを示す正面図である。
【図３】図３は施錠ケースを室内側から視た斜視図である。
【図４】図４は施錠ケースの本体の内部を示す斜視図である。
【図５】図５は施錠ケースの蓋の内部を示す斜視図である。
【図６】図６は図１のVI-VI線に沿う模式断面図である。
【図７】図７は電気回路図である。
【図８】図８は施錠ケースの変形例を示す正面図である。
【考案を実施するための形態】
【００１８】
（実施例１）（図１〜図７）
図１に示した仮設トイレ１００は、工事現場等に設置されて使用される。仮設トイレ１００は、地面に据付けられる便槽１０の上にハウジング２０を積層して接続一体化し、ハウジング２０の内部に不図示の便器を配置している。
【００１９】
ハウジング２０は、前後左右の４面のパネル２１と、パネル２１の上端部に固定される屋根２２とを有する。ハウジング２０は、前面のパネル２１の扉フレーム２１Ｆに人が入出できる出入口２３を備えるとともに、この出入口２３を開閉可能にする扉２４を有する。扉２４は一方の側部を左面又は右面のパネル２１の前縁部における上下方向複数位置に設けたヒンジ２５に取付けられている。扉２４は不図示のばねによって常時閉じ方向に付勢されている。
【００２０】
尚、ハウジング２０は、室内壁面部に室内を照明可能にする室内照明ランプ２６を設けている。室内照明ランプ２６は、ハウジング２０内への人の入室を検出した人感センサの検知結果によってオン（点灯）／オフ（消灯）するものとしても良い。
【００２１】
ハウジング２０は、図１に示す如く、扉２４におけるヒンジ２５の側の反対側の側部の上下方向中央部に、図２に示す如くの施錠ケース３０を嵌め込んでいる。施錠ケース３０は、扉２４を貫通するように設けた取付孔に嵌め込み固定され、室内側に臨む本体３１に、外部に臨む蓋３２を被着可能にして一体化される。
【００２２】
施錠ケース３０は、図３〜図５に示す如く、施錠レバー３３と外側解除把手３４と内側解除把手３５とを内蔵して備える。
【００２３】
施錠レバー３３は、本体３１に設けたガイドレールに直線動可能にガイドされ、圧縮コイルばね等の弾発体３６によって、施錠ケース３０の内部に没入する解錠位置から、施錠ケース３０の外部に突出する施錠位置に向けて常時弾発されている。
【００２４】
扉２４が扉フレーム２１Ｆ外の開放位置から扉フレーム２１Ｆ内の出入口２３に押し込まれると、弾発体３６によって弾発されて施錠位置にある施錠レバー３３の先端部はそのくさび面３３Ｗ（図３）を介して、扉フレーム２１Ｆに設けてある施錠用係合部にスムースに導入され、扉２４を扉フレーム２１Ｆ内の出入口２３に対する閉鎖位置に留めて出入口２３を閉じる。扉２４が扉フレーム２１Ｆ内で出入口２３を閉じる閉鎖位置にあるとき、弾発体３６によって弾発されて施錠位置にある施錠レバー３３の先端部は、扉フレーム２１Ｆに設けてある施錠用係合部に係入し、出入口２３を閉じ続ける。
【００２５】
外側解除把手３４は、蓋３２に設けられて外部に向けて開口している外向き開口部３２Ａに配置されるとともに、蓋３２に枢支される。外側解除把手３４は、施錠レバー３３に一体に設けてある被動体３３Ａに係合する施錠アーム３４Ａを一体に備える。外側解除把手３４が通常位置から外部の人によって引き操作されて回動し、施錠アーム３４Ａが施錠レバー３３の被動体３３Ａを弾発体３６の弾発力に抗して押し込み、施錠レバー３３を施錠位置から解除位置に没入させると、施錠レバー３３の先端部が扉フレーム２１Ｆに設けてある施錠用係合部から引き抜かれ、扉２４は外側解除把手３４に加えた引き操作力によって扉フレーム２１Ｆ外へと開き操作される。扉２４が扉フレーム２１Ｆ外の開放位置に開かれ、外側解除把手３４に加えていた引き操作力がなくなると、弾発体３６の弾発力が施錠レバー３３を施錠位置に戻し、同時に、外側解除把手３４を通常位置に戻す。
【００２６】
内側解除把手３５は、本体３１に設けられて室内側に開口している内向き開口部３１Ａに配置されるとともに、本体３１に枢支される。内側解除把手３５は、施錠レバー３３の被動体３３Ａに係合する解除アーム３５Ａを一体に備える。内側解除把手３５が通常位置から室内の人によって押し操作されて回動し、解除アーム３５Ａが施錠レバー３３の被動体３３Ａを弾発体３６の弾発力に抗して押し込み、施錠レバー３３を施錠位置から解除位置に没入させると、施錠レバー３３の先端部が扉フレーム２１Ｆに設けてある施錠用係合部から引き抜かれ、扉２４は内側解除把手３５に加えた押し操作力によって扉フレーム２１Ｆ外へと開き操作される。扉２４が扉フレーム２１Ｆ外の開放位置に開かれ、内側解除把手３５に加えていた押し操作力がなくなると、弾発体３６の弾発力が施錠レバー３３を施錠位置に戻し、同時に、内側解除把手３５を通常位置に戻す。
【００２７】
施錠ケース３０は、更に、図３、図４に示す如くのロックレバー３７を有する。ロックレバー３７は、本体３１に設けたガイドレールに直線動可能にガイドされるとともに、室内側に臨む手動操作用つまみ３８を備える。ロックレバー３７は、つまみ３８により、扉２４を閉鎖位置に保持するロック位置と、扉２４を開閉自在にするロック解除位置の間で移動され、それらの２位置のいずれかに切換設定可能にされる。つまみ３８によりロック位置に設定されたロックレバー３７の先端部は、扉フレーム２１Ｆに設けてあるロック用係合部に係入し、外側解除把手３４や内側解除把手３５に加えられる前述の引き操作や押し操作に関係なく、扉２４を扉フレーム２１Ｆ内の出入口２３に対する閉鎖位置に保持する。つまみ３８によりロック解除位置に設定されたロックレバー３７の先端部は、扉フレーム２１Ｆに設けてあるロック用係合部から引き抜かれ、扉２４を扉フレーム２１Ｆ内の出入口２３に対して開閉自在にする。
【００２８】
尚、ロックレバー３７は、赤色着色部からなる使用中表示部３９Ａと、青色着色部からなる不使用中表示部３９Ｂを一体に備え、これらの表示部３９Ａ、３９Ｂを蓋３２に設けてある使用中表示窓部３２Ｂに対して選択的に位置付ける。ロックレバー３７がロック位置に設定されたとき、使用中表示部３９Ａが窓部３２Ｂに対するように位置付けられ、ハウジング２０の外部に使用中であることが表示される。ロックレバー３７がロック解除位置に設定されたとき、不使用中表示部３９Ｂが窓部３２Ｂに対するように位置付けられ、ハウジング２０の外部に不使用中であることが表示される。
【００２９】
仮設トイレ１００は、図６に示す如く、ロックレバー３７がロック解除位置に設定されたときに消灯し、ロックレバー３７がロック位置に設定されたときに点灯し、その点灯状態をハウジング２０の外部に向けて表示する使用中表示ランプ４０を有する。
【００３０】
使用中表示ランプ４０の点灯制御回路（給電線Ｌ1、Ｌ2）は、例えば図７に示す如く、ロックレバー３７に連結したスイッチ４１と、乾電池等からなる電源４２を伴う。スイッチ４１は施錠ケース３０の本体３１に内蔵され、ロックレバー３７の解除位置への設定に連動してオフし、使用中表示ランプ４０を消灯する。他方、スイッチ４１はロックレバー３７のロック位置への設定に連動してオンし、使用中表示ランプ４０を点灯する。
【００３１】
尚、本実施例では、使用中表示ランプ４０としてＬＥＤ表示灯（点灯時赤色、消灯時透明）を採用できる。また、スイッチ４１として、例えばリードスイッチ応用磁気近接スイッチ（ノーマルオープン）を採用できる。
【００３２】
本実施例では、ロックレバー３７及びスイッチ４１は、図４に示す如く、施錠ケース３０に内蔵され、扉２４に設けられる。使用中表示ランプ４０は、図６に示す如く、ハウジング２０の扉フレーム２１Ｆにおける出入口２３に対する上部に、外部に向けて設けられる。扉フレーム２１Ｆの外面上で使用中表示ランプ４０の直下には、「点灯使用中」の文字が付された表示板４０Ａが設けられる。電源４２は、図６に示す如く、電源ケース４２Ｈに内蔵され、扉フレーム２１Ｆにおける表示ランプ４０の反対側（室内側）に設けられる。従って、使用中表示ランプ４０の点灯制御回路を構成する給電線Ｌ1、Ｌ2は、扉フレーム２１Ｆから扉２４内の施錠ケース３０に渡って延在される。
【００３３】
本実施例によれば以下の作用効果を奏する。
(a)仮設トイレ１００に有するものとした使用中表示ランプ４０は、ロックレバー３７のロック位置又はロック解除位置への切換動作に連動し、ロックレバー３７がロック解除位置に設定されたときには消灯し、ロックレバー３７がロック位置に設定されたときには点灯し、その点灯状態をハウジング２０の外部に向けて表示する。従って、仮設トイレ１００が使用中であることをハウジング２０の外部に対して積極的かつ明示的に表示し、その表示の視認性を向上できる。使用後の使用中表示ランプ４０の消し忘れも生じない。
【００３４】
(b)使用中表示ランプ４０がハウジング２０の出入口２３に対する上部に設けられる。これにより、日夜を問わず、点灯中の使用中表示ランプ４０が仮設トイレ１００に近づいた人の目に入り易く、その表示の視認性を一層向上できる。
【００３５】
（実施例２）（図１）
実施例２が実施例１と異なる点は、図１に示す如く、使用中表示ランプ４０及び電源４２を扉２４に設けたことにある。従って、ロックレバー３７及びスイッチ４１は、施錠ケース３０に内蔵されて扉２４に設けられ、使用中表示ランプ４０は扉２４の上部に、外部に向けて設けられ、電源４２は扉２４の室内側に設けられる。
【００３６】
本実施例によれば、使用中表示ランプ４０及びその電源４２が、ロックレバー３７も設けられている扉２４に設けられる。従って、ロックレバー３７の切換設定位置を検出するスイッチ４１と、使用中表示ランプ４０及び電源４２とからなる電気回路（点灯制御回路）を扉２４の中に納めることができ、電気回路の取り回しを簡素にし、仮設トイレ１００の製造コストを低減できる。
【００３７】
（実施例３）（図８）
実施例３が実施例１と異なる点は、図８に示す如く、扉２４に設けた施錠ケース３０に、ロックレバー３７及びスイッチ４１を内蔵するだけでなく、使用中表示ランプ４０及び電源４２も該施錠ケース３０に内蔵したことにある。使用中表示ランプ４０は施錠ケース３０の蓋３２に、外部に向けて設けられる。
【００３８】
本実施例によれば、使用中表示ランプ４０及びその電源４２が、ロックレバー３７も設けられている施錠ケース３０に設けられる。従って、ロックレバー３７の切換設定位置を検出するスイッチ４１と、使用中表示ランプ４０及び電源４２の各部品を施錠ケース３０に納めてユニット化でき、各部品及び電気回路の扉２４への組込性を向上し、仮設トイレ１００の製造コストを低減できる。
【００３９】
（実施例４）（図７）
実施例４が実施例１〜３と異なる点は、室内照明ランプ２６をロックレバー３７のロック解除位置とロック位置への切換設定に連動して点灯制御するようにしたことにある。室内照明ランプ２６は、ロックレバー３７がロック解除位置に設定されたときに消灯し、ロックレバー３７がロック位置に設定されたときに点灯し、その点灯によってハウジング２０の内部を照明する。
【００４０】
本実施例によれば、仮設トイレ１００がロックレバー３７の切換動作に連動して点灯する室内照明ランプ２６も有するものにした。ロックレバー３７の唯１回の切換動作によって、使用中表示ランプ４０と室内照明ランプ２６の両ランプを点灯制御できる。使用後の室内照明ランプ２６の消し忘れも生じない。
【００４１】
尚、実施例４では、使用中表示ランプ４０が室内照明ランプ２６を兼ねるものにしても良い。
【００４２】
使用中表示ランプ４０が扉フレーム２１Ｆに設けられるとき（実施例１）には、使用中表示ランプ４０を例えば扉フレーム２１Ｆの外部及び室内側の双方に臨む貫通孔の孔内に設ける等により、使用中表示ランプ４０の照明が扉フレーム２１Ｆの外部だけでなく、室内側にも及ぶように該ランプ４０を設けるものになる。
【００４３】
使用中表示ランプ４０が扉フレーム２１Ｆに設けられるとき（実施例２）には、使用中表示ランプ４０を例えば扉２４の外部及び室内側の双方に臨む貫通孔の孔内に設ける等により、使用中表示ランプ４０の照明が扉２４の外部だけでなく、室内側にも及ぶように該ランプ４０を設けるものになる。
【００４４】
使用中表示ランプ４０が扉２４に設けた施錠ケース３０に設けられるとき（実施例３）には、使用中表示ランプ４０を例えば施錠ケース３０の外部及び室内側の双方に臨む貫通孔の孔内に設ける等により、使用中表示ランプ４０の照明が扉２４の外部だけでなく、室内側にも及ぶように該ランプ４０を設けるものになる。
【００４５】
以上、本考案の実施例を図面により詳述したが、本考案の具体的な構成はこの実施例に限られるものではなく、本考案の要旨を逸脱しない範囲の設計の変更等があっても本考案に含まれる。例えば、ロックレバーは直線動するものでなく、揺動するもの等、いかなる方式によるものでも良い。
また、電源として、太陽電池を用いることもできる。
【産業上の利用可能性】
【００４６】
本考案によれば、仮設トイレが使用中であることを使用中表示ランプの点灯によって積極的かつ明示的に表示し、その表示の視認性を向上できる。
【００４７】
また、イベント会場等におけるように、多数台の仮設トイレ１００が並列配置されている場合には、相並んでいる仮設トイレ１００のいずれのものが使用中であり、いずれのものが不使用中であるかを直ちに視認でき、各仮設トイレ１００の使用効率を向上（フル回転等）できる。
【符号の説明】
【００４８】
２０  ハウジング
２３  出入口
２４  扉
２６  室内照明ランプ
３０  施錠ケース
３７  ロックレバー
４０  室内表示ランプ
４１  スイッチ
４２  電源
１００  仮設トイレ
【図１】
0003197976.tif 000003
【図２】
0003197976.tif 000004
【図３】
0003197976.tif 000005
【図４】
0003197976.tif 000006
【図５】
0003197976.tif 000007
【図６】
0003197976.tif 000008
【図７】
0003197976.tif 000009
【図８】
0003197976.tif 000010